(57)【要約】【課題】暗号化されているベースバンドの映像信号を部分的に復号することができるようにする。【解決手段】復号部１５１は、所定の方式にしたがって暗号化されている暗号化映像信号を復号し、ディレイ調整部１５２は、復号によって元の状態に戻された映像信号と同期するように暗号化映像信号を遅延させ、判定部１５４は、あらかじめ定められた復号パターンにしたがって、暗号化映像信号における画像を構成する画素を復号するかを判定する。そして、選択部１５３は、判定の結果にしたがって、暗号化映像信号の画素か、映像信号における画像を構成する画素のいずれか一方を選択することで、暗号化映像信号を部分的に復号することができるようになる。本発明は、復号装置に適用できる。【選択図】図６
2007329835.tif 000002
【特許請求の範囲】
【請求項１】
所定の方式にしたがって暗号化されているベースバンドの映像信号である第１の映像信号を復号する復号手段と、
復号により得られた前記第２の映像信号と同期するように、前記第１の映像信号を遅延させる遅延手段と、
あらかじめ定められた復号パターンにしたがって、前記第１の映像信号における画像を構成する第１の画素を復号するか否かを判定する判定手段と、
前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択する選択手段と
を備え、
前記選択手段は、選択された前記第１の画素または前記第２の画素を出力する
復号装置。
【請求項２】
前記復号パターンは、復号しない画素からなる第１のブロックと、復号する画素と復号しない画素が混在してなる第２のブロックとが水平方向に所定の間隔で繰り返し並んでいるパターンである
請求項１に記載の復号装置。
【請求項３】
前記第２のブロックは、垂直方向においては、復号しない画素からなる第１のラインと、復号する画素と復号しない画素とが水平方向に所定の間隔で繰り返し並んでいる第２のラインとからなる
請求項２に記載の復号装置。
【請求項４】
前記所定の方式は、AES（Advanced Encryption Standard）暗号である
請求項１に記載の復号装置。
【請求項５】
前記第１の映像信号は、SMPTE（Society of Motion Picture and Television Engineers）427M「Link Encryption for 1.5Gb/s1 Serial Digital Interface」にしたがって暗号化されており、
前記復号手段は、前記SMPTE 427Mにしたがってその処理を実行する
請求項１に記載の復号装置。
【請求項６】
所定の方式にしたがって暗号化されているベースバンドの映像信号である第１の映像信号を復号し、
復号により得られた前記第２の映像信号と同期するように、前記第１の映像信号を遅延させ、
あらかじめ定められた復号パターンにしたがって、前記第１の映像信号における画像を構成する第１の画素を復号するか否かを判定し、
前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択し、選択された前記第１の画素または前記第２の画素を出力する
ステップを含む復号方法。
【請求項７】
所定の方式にしたがって暗号化されているベースバンドの映像信号である第１の映像信号を復号し、
復号により得られた前記第２の映像信号と同期するように、前記第１の映像信号を遅延させ、
あらかじめ定められた復号パターンにしたがって、前記第１の映像信号における画像を構成する第１の画素を復号するか否かを判定し、
前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択し、選択された前記第１の画素または前記第２の画素を出力する
ステップを含む処理をコンピュータに実行させるプログラム。
【発明の詳細な説明】
【技術分野】
【０００１】
本発明は、復号装置および方法、並びにプログラムに関し、特に、暗号化されているベースバンドの映像信号を部分的に復号することができるようにした復号装置および方法、並びにプログラムに関する。
【背景技術】
【０００２】
図１は、従来のコンテンツ編集システム１の構成を示すブロック図である。
【０００３】
コンテンツ編集システム１は、映像信号の暗号化によるコンテンツ保護（Link Encryption）を行うためのシステムであって、2006年5月時点で規格化中のSMPTE（Society of Motion Picture and Television Engineers） 427M 「Link Encryption for 1.5Gb/s1 Serial Digital Interface」に準拠したシステムである。コンテンツ編集システム１においては、コンテンツ再生装置１１は、コンテンツを再生して、そのコンテンツをコンテンツ記録再生装置１２に送信し、コンテンツ記録再生装置１２は、コンテンツ再生装置１１からのコンテンツを受信し、そのコンテンツを記録するか、または再生する。
【０００４】
なお、コンテンツは、一般的に、映像信号の他に、その他音声信号などからも構成されるが、ここでは、説明を簡易にするために、映像信号についてだけ説明する。したがって、以下、単に映像信号と記述した場合、その映像信号は、コンテンツの一構成要素としての映像信号を意味する。また、コンテンツは、SMPTE 292Mで規定されているHD-SDI(it-Serial Digital Interface for High-Definition Television Systems)のデータであって、１以上のフレームから構成されるベースバンドの映像信号である。
【０００５】
また、図１では、各ブロック間の矢印は、映像信号の流れを示しているが、そのうちの実線は暗号化されていない映像信号を示し、点線は暗号化された映像信号（以下、暗号化映像信号と称する）を示している。またこのような実線と点線の使い分けは後述する他の図でも同様とされる。
【０００６】
コンテンツ再生装置１１では、コンテンツ再生部２１は、例えばユーザによる所定の操作に基づいて、コンテンツを再生し、そのコンテンツの一構成要素である映像信号を暗号化部２２に供給する。そして、暗号化部２２は、コンテンツ再生部２１からの映像信号を、共通鍵暗号化方式の１つであるAES（Advanced Encryption Standard）暗号を利用して暗号化し、その暗号化された暗号化映像信号が供給される送信部２３は、その暗号化映像信号をコンテンツ記録再生装置１２に送信するか、図示せぬモニタなどの他の機器へ送信する。
【０００７】
コンテンツ記録再生装置１２では、受信部３１は、コンテンツ再生装置１１からの暗号化映像信号を受信し、その暗号化映像信号が供給される復号部３２は、暗号化映像信号を復号して元の状態に戻し、その元の状態に戻された映像信号をコンテンツ記録再生部３３または暗号化部３４に供給する。そして、コンテンツ記録再生部３３は、復号部３２から供給される元の状態に戻された映像信号を記録する。
【０００８】
その後、例えばユーザによる所定の操作によって、コンテンツの再生が指示された場合、コンテンツ記録再生部３３は、自分が記録している映像信号を暗号化部３４に供給し、暗号化部３４は、AES暗号を利用して、その映像信号を暗号化する。そして、その暗号化された暗号化映像信号が供給された送信部３５は、その暗号化映像信号をモニタなどの他の機器へ送信する。
【０００９】
以上のようにして、従来のコンテンツ編集システム１においては、コンテンツ再生装置１１やコンテンツ記録再生装置１２などの機器は、自分以外の他の機器に映像信号を送信する際、映像信号を暗号化することによって、コンテンツの機密性を保護している。
【００１０】
また、図１のコンテンツ再生装置１１やコンテンツ記録再生装置１２から送信される暗号化映像信号は、図２に示すように、モニタ４１またモニタ４２に受信され、表示される。
【００１１】
ここで、図２では、図１と対応する部分については、同一の符号が付してあり、処理が同じ部分に関しては、その説明は繰り返しになるので省略する。すなわち、図２のコンテンツ編集システム１は、図１と比べて、コンテンツ再生装置１１にはモニタ４１が接続され、コンテンツ記録再生装置１２にはモニタ４２が接続されている点が異なっている。
【００１２】
モニタ４１では、受信部５１は、コンテンツ再生装置１１からの暗号化映像信号を受信し、復号部５２は、その受信した暗号化映像信号を復号する。そして、ディスプレイ５３は、復号部５２から供給される復号されて元の状態に戻された映像信号に対応する画像を画面に表示させる。
【００１３】
また、モニタ４２では、モニタ４１と同様に、受信部５６は、コンテンツ記録再生装置１２からの暗号化映像信号を受信し、復号部５７は、その受信した暗号化映像信号を復号し、ディスプレイ５８は、その復号されて元の状態に戻された映像信号に対応する画像を画面に表示する。
【００１４】
これにより、ユーザは、復号の機能を有している、モニタ４１のディスプレイ５３や、モニタ４２のディスプレイ５８に表示された、完全に元の状態に戻された映像信号を一構成要素とするコンテンツの画像を見て、その画像の内容を確認することになる。
【００１５】
また、コンテンツの内容を確認する方法は、図２で説明したモニタを用いる方法の他に、オリジナルのコンテンツよりもある程度画質を落としたコンテンツ（以下、プロキシコンテンツと称する）を利用して、コンテンツの内容を確認する方法もある。
【００１６】
このプロキシコンテンツを利用した方法では、コンテンツ編集システム１は、図３に示すように、プロキシ再生装置６１、プロキシ記録再生装置６２、パーソナルコンピュータ６３、およびパーソナルコンピュータ６４から構成される。
【００１７】
プロキシ再生装置６１では、コンテンツ再生装置１１と同様に、コンテンツ再生部７１、暗号化部７２、および送信部７３は、再生したコンテンツの一構成要素である映像信号を、AES暗号を利用して暗号化し、その暗号化映像信号をプロキシ記録再生装置６２に送信する。
【００１８】
また、プロキシ再生装置６１は、コンテンツ再生部７１、暗号化部７２、および送信部７３の他に、プロキシ再生部７４を備えている。そのプロキシ再生部７４は、あらかじめ記録されているプロキシコンテンツを再生し、そのプロキシコンテンツをパーソナルコンピュータ６３に出力する。パーソナルコンピュータ６３では、編集ソフトウェア９１は、いわゆるプロキシ編集によって、プロキシ再生装置６１からのプロキシコンテンツを元にコンテンツを編集し、ディスプレイ９２は、その編集されたコンテンツの画像を画面に表示させる。
【００１９】
プロキシ記録再生装置６２では、コンテンツ記録再生装置１２と同様に、受信部８１、復号部８２、およびコンテンツ記録再生部８３は、受信した暗号化映像信号を復号し、その復号して元の状態に戻された映像信号を記録する。
【００２０】
また、プロキシ記録再生装置６２は、受信部８１、復号部８２、およびコンテンツ記録再生部８３の他に、プロキシ記録再生部８４を備えている。プロキシ記録再生部８４は、復号部８２から供給されるコンテンツに対応するプロキシコンテンツを記録する。その後、例えばユーザによる所定の操作によって、プロキシコンテンツの再生が指示された場合、プロキシ記録再生部８４は、記録しているプロキシコンテンツをパーソナルコンピュータ６４に出力する。パーソナルコンピュータ６４では、パーソナルコンピュータ６３と同様に、編集ソフトウェア９６は、プロキシ記録再生装置６２からのプロキシコンテンツをプロキシ編集し、ディスプレイ９７は、その編集されたコンテンツの画像を画面に表示させる。
【００２１】
これにより、ユーザは、パーソナルコンピュータ６３のディスプレイ９２や、パーソナルコンピュータ６４のディスプレイ９７に表示されるコンテンツを見て、その映像の内容を確認することになる。
【００２２】
以上のようにして、従来のコンテンツ編集システム１では、ユーザは、それらのディスプレイに表示されるコンテンツの画像を見て、その画像の内容の確認を行っていた。
【００２３】
また、本出願人は、暗号化データの中から所望の部分を復号する画像提供装置を先に提案している（例えば、特許文献１参照）。
【００２４】
【特許文献１】特開２００５−３４１３１６号公報
【発明の開示】
【発明が解決しようとする課題】
【００２５】
しかしながら、SMPTE 292Mで規定されているHD-SDIによるコンテンツの伝送においては、SMPTE 427M 「Link Encryption for 1.5Gb/s1 Serial Digital Interface」などの技術を採用してコンテンツの保護を行った場合、一般的なモニタでは暗号化されたコンテンツをそのまま表示するので、ユーザは、そのコンテンツの内容を確認することができないという問題があった。
【００２６】
例えば、図１のコンテンツ編集システム１では、コンテンツ記録再生装置１２から出力されるモニタ出力（暗号化映像信号）を、一般的なモニタに表示させた場合、そのモニタは、暗号化映像信号に対応する画像、すなわち、ユーザにとって識別不可能な画像を画面に表示させることになる。したがって、ユーザは、例えば、編集ポイントの設定、プリロールによる編集ポイントの確認、または編集後の結果確認など、コンテンツの内容を確認することができなかった。
【００２７】
また、例えば、図２のコンテンツ編集システム１では、モニタ４１とモニタ４２は、それぞれ、復号の機能を有しているので、それらのモニタには、映像信号に対応する画像、すなわち、ユーザにとって識別可能な画像を画面に表示させている。したがって、ユーザは、コンテンツの内容を確認することはできるが、一般的なモニタとは言えない復号の機能を搭載したモニタを導入する必要があり、また、暗号化映像信号を全て復号してしまうことで、機密性を保護するための暗号によってコンテンツが保護されているかを確認することができないという問題もでてくる。
【００２８】
さらにまた、例えば、図３のコンテンツ編集システム１では、プロキシを利用することで、パーソナルコンピュータ６３とパーソナルコンピュータ６４は、それぞれ、ユーザにとって識別可能な画像を画面に表示させている。したがって、ユーザは、コンテンツの内容を確認することはできるが、プロキシを用いたモニタリングや編集を行うといったワークフローを新たに導入しなければならず、既存のワークフローと共存させることが困難であった。また、その新しいワークフローを導入するとしても、新しい機材を購入する必要があった。
【００２９】
また、例えば、特開２００５−３４１３１６号公報に開示されている提案は、JPEG（Joint Photographic Experts Group）2000などの圧縮画像データを対象とした技術であり、ベースバンドの映像信号に適用することができなかった。
【００３０】
本発明はこのような状況に鑑みてなされたものであり、暗号化されているベースバンドの映像信号を部分的に復号することができるようにするものである。
【課題を解決するための手段】
【００３１】
本発明の一側面の復号装置は、所定の方式にしたがって暗号化されているベースバンドの映像信号である第１の映像信号を復号する復号手段と、復号により得られた前記第２の映像信号と同期するように、前記第１の映像信号を遅延させる遅延手段と、あらかじめ定められた復号パターンにしたがって、前記第１の映像信号における画像を構成する第１の画素を復号するか否かを判定する判定手段と、前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択する選択手段とを備え、前記選択手段は、選択された前記第１の画素または前記第２の画素を出力する。
【００３２】
前記復号パターンには、復号しない画素からなる第１のブロックと、復号する画素と復号しない画素が混在してなる第２のブロックとが水平方向に所定の間隔で繰り返し並んでいるパターンとさせることができる。
【００３３】
前記第２のブロックには、垂直方向においては、復号しない画素からなる第１のラインと、復号する画素と復号しない画素とが水平方向に所定の間隔で繰り返し並んでいる第２のラインとさせることができる。
【００３４】
前記所定の方式は、AES暗号とさせることができる。
【００３５】
前記第１の映像信号は、SMPTE 427M「Link Encryption for 1.5Gb/s1 Serial Digital Interface」にしたがって暗号化されており、前記復号手段は、前記SMPTE 427Mにしたがってその処理を実行させることができる。
【００３６】
本発明の一側面の復号方法は、所定の方式にしたがって暗号化されているベースバンドの映像信号である第１の映像信号を復号し、復号により得られた前記第２の映像信号と同期するように、前記第１の映像信号を遅延させ、あらかじめ定められた復号パターンにしたがって、前記第１の映像信号における画像を構成する第１の画素を復号するか否かを判定し、前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択し、選択された前記第１の画素または前記第２の画素を出力するステップを含む。
【００３７】
本発明の一側面のプログラムは、所定の方式にしたがって暗号化されているベースバンドの映像信号である第１の映像信号を復号し、復号により得られた前記第２の映像信号と同期するように、前記第１の映像信号を遅延させ、あらかじめ定められた復号パターンにしたがって、前記第１の映像信号における画像を構成する第１の画素を復号するか否かを判定し、前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択し、選択された前記第１の画素または前記第２の画素を出力するステップを含む。
【００３８】
本発明の一側面においては、所定の方式にしたがって暗号化されているベースバンドの映像信号である第１の映像信号が復号され、復号により得られた前記第２の映像信号と同期するように、前記第１の映像信号が遅延され、あらかじめ定められた復号パターンにしたがって、前記第１の映像信号における画像を構成する第１の画素を復号するか否かが判定され、前記第１の画素を復号すると判定された場合、前記第１の映像信号の第１の画素を復号して得られた前記第２の映像信号における画像を構成する第２の画素が選択され、前記第１の画素を復号しないと判定された場合、遅延された前記第１の映像信号の前記第１の画素が選択され、選択された前記第１の画素または前記第２の画素が出力される。
【発明の効果】
【００３９】
以上のように、本発明の一側面によれば、暗号化されているベースバンドの映像信号を部分的に復号することができる。
【発明を実施するための最良の形態】
【００４０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４１】
本発明の一側面の復号装置は、所定の方式（例えば、AES暗号）にしたがって暗号化されているベースバンドの映像信号である第１の映像信号を復号する復号手段（例えば、図６の復号部１５１）と、復号により得られた前記第２の映像信号と同期するように、前記第１の映像信号を遅延させる遅延手段（例えば、図６のディレイ調整部１５２）と、あらかじめ定められた復号パターン（例えば、図９乃至図１２の復号パターン）にしたがって、前記第１の映像信号における画像を構成する第１の画素を復号するか否かを判定する判定手段（例えば、図６の判定部１５４）と、前記第１の画素を復号すると判定された場合、前記第１の映像信号の第１の画素を復号して得られた前記第２の映像信号における画像を構成する第２の画素を選択し、前記第１の画素を復号しないと判定された場合、遅延された前記第１の映像信号の前記第１の画素を選択する選択手段（例えば、図６の選択部１５３）とを備え、前記選択手段は、選択された前記第１の画素または前記第２の画素を出力する（例えば、図６の選択部１５３による、図８のステップＳ３６の処理）。
復号装置。
【００４２】
前記復号パターンは、復号しない画素からなる第１のブロックと、復号する画素と復号しない画素が混在してなる第２のブロックとが水平方向に所定の間隔で繰り返し並んでいるパターンであるようにすることができる。
【００４３】
前記第２のブロックは、垂直方向においては、復号しない画素からなる第１のラインと、復号する画素と復号しない画素とが水平方向に所定の間隔で繰り返し並んでいる第２のラインとからなるようにすることができる。
【００４４】
前記所定の方式は、AES暗号であるようにすることができる。
【００４５】
前記第１の映像信号は、SMPTE 427M「Link Encryption for 1.5Gb/s1 Serial Digital Interface」にしたがって暗号化されており、前記復号手段は、前記SMPTE 427Mにしたがってその処理を実行することができる。
【００４６】
本発明の一側面の復号方法またはプログラムは、所定の方式にしたがって暗号化されているベースバンドの映像信号である第１の映像信号を復号し（例えば、図８のステップＳ３１の処理）、復号により得られた前記第２の映像信号と同期するように、前記第１の映像信号を遅延させ（例えば、図８のステップＳ３２の処理）、あらかじめ定められた復号パターンにしたがって、前記第１の映像信号における画像を構成する第１の画素を復号するか否かを判定し（例えば、図８のステップＳ３３の処理）、前記第１の画素を復号すると判定された場合、前記第１の映像信号の第１の画素を復号して得られた前記第２の映像信号における画像を構成する第２の画素を選択し（例えば、図８のステップＳ３５の処理）、前記第１の画素を復号しないと判定された場合、遅延された前記第１の映像信号の前記第１の画素を選択し、選択された前記第１の画素または前記第２の画素を出力する（例えば、図８のステップＳ３６の処理）ステップを含む。
【００４７】
以下、図面を参照しながら本発明の実施の形態について説明する。
【００４８】
図４は、本発明を適用したコンテンツ編集システム１０１の一実施の形態の構成を示すブロック図である。
【００４９】
コンテンツ編集システム１０１は、映像信号の暗号化によるコンテンツ保護（Link Encryption）を行うためのシステムであって、SMPTE 427M 「Link Encryption for 1.5Gb/s1 Serial Digital Interface」に準拠したシステムである。このコンテンツ編集システム１０１においては、コンテンツ再生装置１１１は、コンテンツ記録再生装置１１２とモニタ１１３と接続され、コンテンツ記録再生装置１１２は、コンテンツ再生装置１１１とモニタ１１４と接続されるようにして構成される。
【００５０】
コンテンツ再生装置１１１とコンテンツ記録再生装置１１２との間のインターフェースは、本実施の形態では、例えば、SMPTE 292Mで規定されているHD-SDIが採用されているとする。すなわち、本実施の形態では、コンテンツの一構成要素である映像信号は、いわゆるHD-SDI信号としてコンテンツ再生装置１１１からコンテンツ記録再生装置１１２に伝送される。また、同様に、コンテンツ再生装置１１１とモニタ１１３、およびコンテンツ記録再生装置１１２とモニタ１１４は、例えば、SMPTE 292Mで規定されているHD-SDIが採用されているとする。
【００５１】
ここに、コンテンツの一構成要素と記述したのは、上述したように、コンテンツは、一般的に、映像信号のみではなく、その他音声信号などからも構成されるからである。また、コンテンツは、本実施の形態では、例えば、SMPTE 292Mで規定されているHD-SDIのデータであって、１以上のフレームから構成されるベースバンドの映像信号である。
【００５２】
なお、図４の例では、各ブロック間の矢印は、映像信号の流れを示しているが、そのうちの実線は、上述した場合と同様に暗号化されていない映像信号を示している。また、２種類ある点線のうちの短い線の方の点線は、上述した場合と同様に暗号化映像信号を示し、長い線の方の点線は部分的に復号された映像信号（以下、部分復号映像信号と称する）を示している。またこのような実線と点線の使い分けは後述する他の図でも同様とされる。
【００５３】
コンテンツ再生装置１１１は、例えば、ビデオデッキなどのコンテンツを再生するための装置である。コンテンツ再生装置１１１は、コンテンツ再生部１２１、暗号化部１２２、送信部１２３、部分復号部１２４、および送信部１２５を含むようにして構成される。
【００５４】
コンテンツ再生部１２１は、例えばユーザによる所定の操作に基づいて、コンテンツを再生し、そのコンテンツの一構成要素である映像信号を暗号化部１２２に供給する。
【００５５】
暗号化部１２２は、コンテンツ再生部１２１から供給される映像信号を、例えば共通鍵暗号化方式の１つであるAES暗号などを利用して暗号化する。暗号化部１２２は、暗号化された暗号化映像信号を送信部１２３または部分復号部１２４に供給する。
【００５６】
送信部１２３は、暗号化部１２２から供給される暗号化映像信号をHD-SDI信号の形態でコンテンツ記録再生装置１１２に送信する。すなわち、送信部１２３は、暗号化映像信号の形態をHD-SDI信号の形態に変換する処理、例えば、暗号化映像信号の入力形態がパラレル信号である場合にはパラレル−シリアル変換処理などを実行する。
【００５７】
これにより、コンテンツ再生装置１１１からHD-SDI信号の形態で送信された暗号化映像信号は、コンテンツ記録再生装置１１２に送信される。
【００５８】
部分復号部１２４は、暗号化部１２２から供給される暗号化映像信号を、例えばAES復号などを利用して部分的に復号する。部分復号部１２４は、部分的に復号された部分復号映像信号を送信部１２５に供給する。ここで、詳細は後述するが、部分復号部１２４は、暗号化映像信号に対応する画像の領域のうち、あらかじめ定められた所定の領域（所定の画素）だけを復号することで、暗号化映像信号から部分復号映像信号を生成する。
【００５９】
送信部１２５は、部分復号部１２４から供給される部分復号映像信号をHD-SDI信号の形態でモニタ１１３に送信する。すなわち、送信部１２５は、送信部１２３と同様に、例えば、部分復号映像信号の入力形態がパラレル信号である場合にはパラレル−シリアル変換処理などの部分復号映像信号をHD-SDI信号の形態に変換する処理を実行する。
【００６０】
これにより、コンテンツ再生装置１１１からHD-SDI信号の形態で送信された部分復号映像信号（図４ではモニタ出力とも表現している）は、モニタ１１３に送信される。
【００６１】
モニタ１１３は、入力される映像信号に対応する画像を画面に表示させる。モニタ１１３は、受信部１４１およびディスプレイ１４２を含むようにして構成される。
【００６２】
受信部１４１は、HD-SDI信号の形態でコンテンツ再生装置１１１から送信される部分復号映像信号を受信して、ディスプレイ１４２に供給する。このとき、受信部１４１は、必要に応じて部分復号映像信号の形態を変換する処理、例えば、シリアル−パラレル変換処理などを適宜実行する。
【００６３】
ディスプレイ１４２は、受信部１４１から供給される部分復号映像信号に対応する画像（以下、部分復号画像と称する）を画面に表示する。すなわち、ディスプレイ１４２の画面に表示されている部分復号画像は、部分復号映像信号に対応する画像であって、部分的に復号されている画像であるので、暗号化されている画像と、復号されている画像とが混在する画像となる。
【００６４】
コンテンツ記録再生装置１１２は、例えば、カムコーダやコンテンツ編集装置などのコンテンツの記録や再生をするための装置である。コンテンツ記録再生装置１１２は、受信部１３１、復号部１３２、コンテンツ記録再生部１３３、暗号化部１３４、送信部１３５、部分復号部１３６、および送信部１３７を含むようにして構成される。
【００６５】
受信部１３１は、HD-SDI信号の形態でコンテンツ再生装置１１１から送信される暗号化映像信号を受信して、復号部１３２に供給する。このとき、受信部１３１は、必要に応じて暗号化映像信号の形態を変換する処理、例えば、シリアル−パラレル変換処理などを適宜実行する。
【００６６】
復号部１３２は、受信部１３１から供給される暗号化映像信号を、例えばAES復号などを利用して復号する。復号部１３２は、復号されて元の状態に戻った映像信号をコンテンツ記録再生部１３３または暗号化部１３４に供給する。
【００６７】
コンテンツ記録再生部１３３は、復号部１３２から供給される映像信号一構成要素として構成されるコンテンツを、記録する。また、コンテンツ記録再生部１３３は、例えばユーザによる所定の操作に基づいて、自分が記録しているコンテンツを再生し、そのコンテンツの一構成要素である映像信号を暗号化部１３４に供給する。
【００６８】
暗号化部１３４は、復号部１３２またはコンテンツ記録再生部１３３から供給される映像信号を、例えば、AES暗号などを利用して暗号化する。暗号化部１３４は、暗号化された暗号化映像信号を送信部１３５または部分復号部１３６に供給する。
【００６９】
送信部１３５は、暗号化部１３４から供給される暗号化映像信号をHD-SDIの形態で他の装置（図示せず）に送信する。すなわち、送信部１３５は、例えば、暗号化映像信号の入力形態がパラレル信号である場合にはパラレル−シリアル変換処理などの暗号化映像信号をHD-SDI信号の形態に変換する処理を実行する。そして、図示せぬ他の装置は、暗号化映像信号を受信し、その暗号化映像信号を画面に表示する。このとき、その他の装置の画面に表示される画像は、部分的に復号されていない完全に暗号化された画像であるので、ユーザには識別不可能な画像となる。
【００７０】
部分復号部１３６は、暗号化部１３４から供給される暗号化映像信号を、例えばAES復号などを利用して部分的に復号する。部分復号部１３６は、部分的に復号された部分復号映像信号を送信部１３７に供給する。ここで、詳細は後述するが、部分復号部１３６は、部分復号部１２４と同様に、暗号化映像信号に対応する画像の領域のうち、あらかじめ定められた所定の領域（所定の画素）だけを復号して、暗号化映像信号から部分復号映像信号を生成する。
【００７１】
送信部１３７は、部分復号部１３６から供給される部分復号映像信号をHD-SDI信号の形態でモニタ１１４に送信する。すなわち、送信部１３７は、送信部１３５と同様に、例えば、部分復号映像信号の入力形態がパラレル信号である場合にはパラレル−シリアル変換処理などの部分復号映像信号をHD-SDI信号の形態に変換する処理を実行する。
【００７２】
これにより、コンテンツ記録再生装置１１２からHD-SDI信号の形態で送信された部分復号映像信号（図４ではモニタ出力とも表現している）は、モニタ１１４に送信される。
【００７３】
モニタ１１４は、モニタ１１３と同様に、入力される映像信号に対応する画像を画面に表示させる。モニタ１１４は、受信部１４６およびディスプレイ１４７を含むようにして構成される。
【００７４】
受信部１４６は、HD-SDI信号の形態でコンテンツ記録再生装置１１２から送信される部分復号映像信号を受信して、ディスプレイ１４７に供給する。このとき、受信部１４６は、必要に応じて部分復号映像信号の形態を変換する処理、例えば、シリアル−パラレル変換処理などを適宜実行する。
【００７５】
ディスプレイ１４７は、受信部１４６から供給される部分復号映像信号に対応する部分復号画像を画面に表示する。すなわち、ディスプレイ１４７の画面に表示されている部分復号画像は、部分復号映像信号に対応する画像であって、部分的に復号されている画像であるので、暗号化されている画像と、復号されている画像とが混在する画像となる。
【００７６】
次に、図５乃至図１５を参照して、上述した、ベースバンドの暗号化映像信号を部分的に復号させる機器の詳細な例として、図４のコンテンツ編集システム１０１を構成する機器の１つである、コンテンツ記録再生装置１１２について説明する。
【００７７】
図５は、コンテンツ記録再生装置１１２の構成を示すブロック図である。なお、図５のコンテンツ記録再生装置１１２は、図４のコンテンツ編集システム１０１を構成するコンテンツ記録再生装置１１２を抜き出して表現しているので、図４と対応する部分については、同一の符号が付してあり、処理が同じ部分に関しては、その説明は繰り返しになるので省略する。
【００７８】
図５の例に示すように、コンテンツ記録再生装置１１２には、暗号化映像信号（図５では、SMPTE427で暗号化されたHD-SDIストリームと表現している）が入力され、コンテンツ記録再生装置１１２によって、上述した所定の処理が行われることによって、部分復号映像信号（図５では、部分的に復号されたHD-SDIストリームと表現している）と暗号化映像信号（図５では、SMPTE427で暗号化されたHD-SDIストリームと表現している）が出力される。
【００７９】
これにより、コンテンツ記録再生装置１１２に入力される映像信号、またはコンテンツ記録再生装置１１２から出力される映像信号は、暗号化が施されている暗号化映像信号または部分復号映像信号となるので、その映像信号を一構成要素とするコンテンツの機密性を守ることができる。さらに、部分復号映像信号は、機密性を守りたい映像信号の画像の一部だけが復号されているので、機密性と開示性とを両立させることができる。
【００８０】
具体的には、コンテンツ記録再生装置１１２は、図５の例では、入力される暗号化映像信号を映像信号に復号して元に戻してから記録し、その記録されている映像信号を出力するとき、再度映像信号を暗号化する。このとき、コンテンツ記録再生装置１１２においては、部分復号部１３６は、例えばAES復号などを利用して、その再度暗号化された暗号化映像信号における画像を構成する画素のうちの、あらかじめ定められた画素だけを部分的に復号することにより、部分復号映像信号を出力することになる。
【００８１】
ここで、この暗号化映像信号を部分的に復号する処理を行う、部分復号部１３６のより詳細な構成について説明する。
【００８２】
図６は、部分復号部１３６の詳細な構成を示すブロック図である。
【００８３】
部分復号部１３６は、復号部１５１、ディレイ調整部１５２、選択部１５３、および判定部１５４を含むようにして構成される。
【００８４】
復号部１５１は、暗号化部１３４から供給される暗号化映像信号を復号する。復号部１５１は、復号されて元の状態に戻された映像信号を選択部１５３に供給する。
【００８５】
ディレイ調整部１５２は、暗号化部１３４から供給される暗号化映像信号を、所定の時間遅らせることにより、遅延した暗号化映像信号を選択部１５３に供給する。これにより、部分復号部１３６では、復号部１５１により出力される復号されて元の状態に戻された映像信号と、ディレイ調整部１５２により出力される暗号化映像信号とは、選択部１５３に同期して入力することになる。
【００８６】
選択部１５３には、復号部１５１からの復号されて元の状態に戻された映像信号と、ディレイ調整部１５２からの遅延された暗号化映像信号の他に、判定部１５４から復号されて元に状態に戻された映像信号を選択させるための信号（以下、その信号を“DECRYPTION_ON”とも称する）が供給される。換言すれば、DECRYPTION_ONは、選択部１５３に対して、復号部１５１とディレイ調整部１５２から供給される２種類の映像信号のうちの、いずれか一方を選択させるための信号である。
【００８７】
したがって、選択部１５３は、判定部１５４から供給されるDECRYPTION_ONに基づいて、同期して入力される、復号されて元の状態に戻された映像信号と、暗号化映像信号のうちのいずれか一方を選択する。選択部１５３は、選択した映像信号（すなわち、部分復号映像信号）を送信部１３７に供給する。
【００８８】
判定部１５４は、あらかじめ定められた部分的に復号を行う領域を関する情報（以下、復号パターンと称する）にしたがって、暗号化部１３４から供給される暗号化映像信号における画像を構成する画素のうち、復号を行う所定の画素を判定する。判定部１５４は、その判定の結果に応じて、DECRYPTION_ONを選択部１５３に供給する。
【００８９】
また、判定部１５４には、例えば、選択部１５３に入力される２種類の映像信号（復号部１５１からの復号されて元の状態に戻された映像信号と、ディレイ調整部１５２からの暗号化映像信号）に対して、垂直方向の同期をとるための垂直同期信号を示すＶ（以下、垂直同期信号Ｖと称する）と、水平方向の同期をとるための水平同期信号を示すＨ（以下、水平同期信号Ｈと称する）の他に、捜査の順に各ラインに対して付された番号を示すLine Numberなどの、選択部１５３に入力される２種類の映像信号と同期をとるための情報が入力される。これにより、選択部１５３に入力される２種類の映像信号と、判定部１５４から出力されるDECRYPTION_ONは同期することになる。
【００９０】
次に、図７のフローチャートを参照して、図５のコンテンツ記録再生装置１１２による、コンテンツ記録再生の処理について説明する。
【００９１】
コンテンツ記録再生装置１１２は、例えば、コンテンツ再生装置１１１からのコンテンツを受信したとき、図７のフローチャートの処理を各部に実行させる。
【００９２】
ステップＳ１１において、受信部１３１は、HD-SDI信号の形態でコンテンツ再生装置１１１からの暗号化映像信号（例えば図５のSMPTE472で暗号化されたHD-SDIストリーム）を受信し、その暗号化映像信号に対して、必要に応じて、例えばシリアル−パラレル変換処理などの暗号化映像信号の形態を変換する処理を施す。受信部１３１は、その所定の処理を施した暗号化映像信号を復号部１３２に供給する。
【００９３】
ステップＳ１２において、復号部１３２は、受信部１３１からの暗号化映像信号を、例えばAES復号などを利用して復号し、その復号されて元の状態に戻された映像信号をコンテンツ記録再生部１３３に供給する。
【００９４】
ステップＳ１３において、コンテンツ記録再生部１３３は、復号部１３２から供給される映像信号を一構成要素として構成されるコンテンツを記録する。これにより、コンテンツ記録再生装置１１２は、コンテンツ再生装置１１１から送信されるコンテンツを受信して記録したことになる。
【００９５】
ステップＳ１４において、コンテンツ記録再生部１３３は、例えばユーザによる所定の操作によって、コンテンツの再生が指示されたか否かを判定する。
【００９６】
ステップＳ１４において、コンテンツの再生が指示されていないと判定された場合、ステップＳ１４に戻り、上述した処理が繰り返される。すなわち、ユーザによって、コンテンツ記録再生装置１１２に記録されているコンテンツを再生するための所定の操作がされ、ステップＳ１４において、コンテンツの再生が指示されたと判定されるまで、ステップＳ１４の処理が繰り返される。
【００９７】
その後、ステップＳ１４において、コンテンツの再生が指示されたと判定された場合、ステップＳ１５において、コンテンツ記録再生部１３３は、自分が記録しているコンテンツを再生し、そのコンテンツの一構成要素である映像信号を暗号化部１３４に供給する。
【００９８】
ステップＳ１６において、暗号化部１３４は、コンテンツ記録再生部１３３から供給される映像信号を、例えばAES暗号などを利用して暗号化し、その暗号化された暗号化映像信号を送信部１３５または部分復号部１３６に供給する。
【００９９】
ステップＳ１７において、送信部１３５は、暗号化部１３４からの暗号化映像信号に対して、例えば、暗号化映像信号の入力形態がパラレル信号である場合にはパラレル−シリアル変換処理などの暗号化映像信号をHD-SDI信号の形態に変換する処理を施す。送信部１３５は、その所定の処理を施したHD-SDIの形態となる暗号化映像信号（例えば図５のSMPTE472で暗号化されたHD-SDIストリーム）を他の装置（図示せず）に送信する。これにより、コンテンツ記録再生装置１１２は、そのコンテンツの内容を確認することのできない完全に暗号化された暗号化映像信号を図示せぬ他の装置に送信することになる。
【０１００】
ステップＳ１８において、部分復号部１３６は、暗号化部１３４からの暗号化映像信号を、例えばAES復号などを利用して部分的に復号し、その部分的に復号された部分復号映像信号を送信部１３７に供給する。
【０１０１】
ここで、図８のフローチャートを参照して、図７のステップＳ１８の処理に対応する、図６の部分復号部１３６による部分復号処理の詳細について説明する。
【０１０２】
ステップＳ３１において、復号部１５１は、暗号化部１３４からの暗号化映像信号を、例えばAES復号などを利用して復号し、その復号されて元の状態に戻された映像信号を選択部１５３に供給する。
【０１０３】
ステップＳ３２において、ディレイ調整部１５２は、暗号化部１３４からの暗号化映像信号を、復号部１５１から出力される復号されて元に戻された映像信号と同期するように遅延させ、遅延した暗号化映像信号を選択部１５３に供給する。
【０１０４】
ステップＳ３３において、判定部１５４は、あらかじめ定められた復号パターンにしたがって、選択部１５３に同期して入力された２種類の映像信号における画像を構成する画素が、暗号化部１３４から供給される暗号化映像信号における画像を構成する画素において、部分復号を行う画素であるかを判定する。
【０１０５】
ステップＳ３３において、部分復号を行う画素であると判定された場合、ステップＳ３４において、判定部１５４は、その判定の結果に応じて、DECRYPTION_ONを選択部１５３に出力する。
【０１０６】
具体的には、例えば、判定部１５４は、図９の例に示すように、暗号化部１３４から供給される暗号化映像信号に対応する画像のうち、正面から見て右側半分の画像が復号された画像（以下、復号画像とも称する）であり、左側半分の画像が復号せずに暗号化されたままの画像（以下、暗号化画像とも称する）である復号パターンにしたがって、選択部１５３に同期して入力される２種類の映像信号における画像を構成する画素が、図９の復号画像である右側半分の画像の領域内の画素であるかを判定し、右側半分の画像の領域内の画素であると判定された場合、DECRYPTION_ONを選択部１５３に出力する。
【０１０７】
また、例えば、判定部１５４は、図１０の例に示すように、暗号化部１３４から供給される暗号化映像信号に対応する画像のうち、正面から見て下側半分の画像が復号された復号画像であり、上側半分の画像が復号せずに暗号化されたままの暗号化画像である復号パターンにしたがって、選択部１５３に同期して入力される２種類の映像信号における画像を構成する画素が、図１０の復号画像である下側半分の画像の領域内の画素であるかを判定し、下側半分の画像の領域内の画素であると判定された場合、DECRYPTION_ONを選択部１５３に出力する。
【０１０８】
さらにまた、例えば、判定部１５４は、図１１の例に示すように、復号画像と暗号化画像とが混在する復号パターンにしたがって、選択部１５３に同期して入力される２種類の映像信号における画像を構成する画素が、図１１の復号画像の領域内の画素であるかを判定し、復号画像の領域内の画素であると判定された場合、DECRYPTION_ONを選択部１５３に出力する。
【０１０９】
具体的には、図１１で示される例においては、図中左側の画像では、復号されている復号画像と、復号されていない暗号化画像とが混在しており、それらの画像を拡大した画像が図中右側の画像となる。図中右側の拡大された画像は、図中左側の画像における所定の領域である、縦9（ライン）×横9（ピクセル）の領域を拡大した画像であり、その画像は、ハッチングが施されている復号されていない暗号化画像（暗号化されている画素）と、ハッチングが施されていない復号された復号画像（復号された画素）からなる画像である。
【０１１０】
すなわち、判定部１５４は、図１１の復号パターンにしたがって、選択部１５３に同期して入力される２種類の映像信号における画像を構成する画素が、図１１の復号画像を構成する画素であるかを判定し、復号画像を構成する画素であると判定された場合、その画素に関しては復号された画素を選択させるために、DECRYPTION_ONを選択部１５３に出力する。
【０１１１】
なお、図９乃至図１１などに示すような復号パターンを判定部１５４に提供する方法であるが、例えば、判定部１５４があらかじめ保持しておくようにしてもよいし、その他、例えば、暗号化部１３４から供給される暗号化映像信号の一部として判定部１５４に提供したり、外部の機器から判定部１５４に提供するなど、復号パターンを判定部１５４に提供できる方法であればよい。
【０１１２】
図８のフローチャートに戻り、一方、ステップＳ３３において、部分復号を行う画素ではないと判定された場合、判定部１５４は、DECRYPTION_ONを選択部１５３に出力せずに、ステップＳ３４の処理をスキップして、ステップＳ３５に進む。
【０１１３】
ステップＳ３５において、選択部１５３は、判定部１５４から出力されるDECRYPTION_ONに基づいて、復号部１５１からの復号されて元に戻された映像信号、またはディレイ調整部１５２からの暗号化映像信号のいずれか一方を選択する。具体的には、例えば、選択部１５３は、映像信号と暗号化映像信号との２種類の映像信号のうち、判定部１５４からDECRYPTION_ONが入力された場合には復号されて元に戻された映像信号を選択し、そのDECRYPTION_ONが入力されなかった場合には暗号化映像信号を選択する。
【０１１４】
ステップＳ３６において、選択部１５３は、２種類の映像信号のうち、選択した映像信号を送信部１３７に出力して、図６の部分復号部１３６による部分復号処理は終了する。これにより、選択部１５３から送信部１３７に供給される映像信号は、判定部１５４からDECRYPTION_ONが入力された場合、復号されて元の状態に戻された映像信号となり、DECRYPTION_ONが入力されなかった場合、暗号化されたままの暗号化映像信号となる、すなわち、部分的に復号された部分復号映像信号となる。
【０１１５】
図７のフローチャートに戻り、ステップＳ１９において、送信部１３７は、部分復号部１３６から供給される部分復号映像信号に対して、例えば、部分復号映像信号の入力形態がパラレル信号である場合にはパラレル−シリアル変換処理などの符号化映像信号をHD-SDI信号の形態に変換する処理を施す。送信部１３７は、その所定の処理を施したHD-SDIの形態となる部分復号映像信号（例えば図５の部分的に復号されたHD-SDIストリーム）をモニタ１１４に送信する。
【０１１６】
これにより、例えばモニタ１１４へ出力される部分復号映像信号に対応する部分復号画像は、部分的な復号によりその一部が開示されている画像であるので、ユーザは、その画像の開示されている部分の画像を見てコンテンツの内容を確認することができる。また、部分復号画像のうちの、部分的な復号が行われていない部分の画像に関しては、暗号化された画像がそのまま表示されるので、ユーザは、その画像が暗号化によって保護されていることも同時に確認することができる。
【０１１７】
ステップＳ２０において、コンテンツ記録再生部１３３は、自分の記録しているコンテンツの再生が終了したか否かを
判定する。
【０１１８】
ステップＳ２０において、コンテンツの再生を終了していないと判定された場合、ステップＳ１５に戻り、上述した、ステップＳ１５乃至ステップＳ２０の処理が実行されることで、部分復号部１３６では、暗号化部１３４からの暗号化映像信号は、例えば、図９乃至図１１のうちのいずれかの復号パターンにしたがって部分復号される。そして、例えば、ユーザの操作によってコンテンツの再生の停止が指示されたり、再生しているコンテンツ自身が終了するなどして、ステップＳ２０において、コンテンツの再生が終了したと判定されるまで、ステップＳ２０の処理が繰り返される。
【０１１９】
その後、ステップＳ２０において、コンテンツの再生が終了したと判定された場合、図５のコンテンツ記録再生装置１１２による、コンテンツ記録再生の処理は終了する。
【０１２０】
なお、このコンテンツ記録再生装置１１２から出力される部分復号映像信号を受信したモニタ１１４は、その部分復号映像信号に対応する部分復号画像をディスプレイ１４７の画面に表示させる。このとき、ディスプレイ１４７の画面には、例えば図９乃至図１１に示す復号パターンなどのように、所定の領域を部分復号された画像が表示される。
【０１２１】
また、部分復号画像を表示させる機器は、モニタ１１４に限らず、例えばコンテンツ記録再生装置１１２にモニタ機能を設けることで、コンテンツ記録再生装置１１２自身が部分復号画像を表示させるようにしてもよい。
【０１２２】
以上のように、コンテンツ記録再生装置１１２においては、部分復号部１３６は、暗号化部１３４からの暗号化映像信号に対応する画像のうちの、所定の領域の画像を部分的に復号することで、部分復号映像信号を出力するので、ユーザは、その部分復号画像を見ることで、コンテンツの内容を確認することができる。
【０１２３】
ところで、部分復号部１３６による部分復号処理では、次の３つの条件を満たしていることが望ましい。すなわち、部分復号処理を施された画像は、１つ目として、コンテンツの内容を全画面に渡りおおまかに確認することができる点、２つ目として、暗号化されている画像を確認することができる点、３つ目として、映像信号特有の性質である、水平方向または垂直方向や、時間軸方向の相関を利用しての補正がされにくい点を満たしていることが理想である。
【０１２４】
そこで、次に、図１２乃至図１５を参照して、これらの３つの条件を満たしている復号パターンを採用した、部分復号部１３６による部分復号の処理の例について説明する。まず、図１２を参照して、これらの３つの条件を満たしている復号パターンについて説明する。
【０１２５】
図１２に示される例においては、図中左側は、上述した３つの条件を満たしている復号パターンを表現し、図中右側は左側の復号パターンにおける、復号されている復号画像と復号されていない暗号化画像とが混在している画像（以下、混在画像と称する）の一部を拡大したパターン（以下、拡大復号パターンと称する）を表現している。
【０１２６】
図１２の復号パターンにおける水平方向においては、暗号化画像と混在画像とは、例えば120ピクセルなどの所定の間隔で繰り返し並んでいる。また、図中左側の拡大復号パターンに示されるように、混在画像は、垂直方向においては、例えば8ラインごとに、ハッチングが施された復号を行わない暗号化されたままの画素からなるブロックと、ハッチングが施されていない復号を行って元の状態に戻された画素とハッチングが施された暗号化されたままの画素とが水平方向に、例えば2ピクセルなどの所定の間隔で繰り返し並んでいる画素からなるブロックと、が繰り返し並んでいる。
【０１２７】
これにより、図１２の復号パターンでは、全画面の1/8しか復号していないことになるが、ユーザは、コンテンツの内容を全画面に渡りおおまかに確認することができるとともに、暗号化されていることも確認することができる。また、この復号パターンでは、水平方向、垂直方向とも、ある程度大きな単位（例えば、水平方向の120ピクセルや、垂直方向の8ラインなど）で復号されていない部分が存在するので、例えば悪意のある人物が、これを映像信号の性質を利用して補間を行おうとしても歪みが大きくなってしまい、クオリティの低い映像しか再現することができない。したがって、図１２の復号パターンは、上述した３つの条件を満たしていることになる。
【０１２８】
次に、図１３のタイミングチャートを参照して、部分復号部１３６によって、図１２復号パターンが採用されたときの判定部１５４の動作について説明する。
【０１２９】
HD（一般的には、Ｈと称されることもあるが、ここではHDと称する）は、水平同期信号であり、上述した、図６の水平同期信号Ｈに相当する。すなわち、判定部１５４に入力されるHDのレベルがローレベル（以下、適宜、単に「L」と記述する）となるとき、その期間は、水平ブランキング（H-Blanking）期間を示している。一方、HDのレベルがハイレベル（以下、適宜、単に「H」と記述する）となるとき、その期間は、画面に表示される画像に対応する映像信号が入力されることになる。換言すれば、図１２の例では、復号パターンは、横のピクセル数は1920ピクセルであるので、図１３では、HDのレベルが「H」となる期間は、復号パターンにおける水平方向の1920ピクセルと一致する。
【０１３０】
HDのレベルが「H」である期間においては、Pixel Counterは8乃至127の値、すなわち、ピクセルの数を120ピクセル単位でカウントする。図１３で示されるPixel Counter値の例のおいて、Pixel Counter値が127となったとき、図１２で示される暗号化画像と混在画像とが切り替わるので、Pixel Counter値は、127から8に変化している。
【０１３１】
Pixel Counter[1]は、「H」と「L」とを2ピクセル単位で繰り返す。すなわち、図１３で示されるPixel Counter[1]が「H」となるとき、図１２で示される混在画像ではその画素は復号され、図１３で示されるPixel Counter[1]が「L」となるとき、図１２で示される混在画像ではその画素は復号されずに暗号化されたままの画素となる。
【０１３２】
なお、Pixel Counter[1]における[]の数字であるが、これは、図１２の復号パターンでは、水平方向のピクセル数はトータル1920ピクセルであるので、210 < 1920 < 211 となり、これを数えるためには、11ビットのカウンタが必要になる。このカウンタの値を２進数で表記する場合、Pixel Counter[10:0]のように表記される。したがって、この場合、例えば、Pixel Counter[3]とは、11ビットのカウンタのうちの3ビットを示している。また、Pixel Counterなどの信号名称の後ろに、[]の数字が表記されていない場合、それは、全ビットをまとめた束で扱っていることを示している。またこのような[]の数字の表記は後述する信号名称でも同様とされる。
【０１３３】
Blk Counterは、120ピクセルを1ブロックとしてカウントする。すなわち、図１２の例では、復号パターンは、横のピクセル数は1920ピクセルであるので、Blk Counterは、1920/120=16、すなわち、0乃至15の値となる。
【０１３４】
Blk Counter[0]は、「H」と「L」とを1ブロック（120ピクセル）単位で繰り返す。すなわち、図１３で示されるBlk Counter[0]が「H」となるとき、図１２で示される復号パターンでは混在画像となり、図１３で示されるBlk Counter[0]が「L」となるとき、図１２で示される復号パターンでは暗号化画像となる。
【０１３５】
PIXEL_SELは、Pixel Counter[1]が「H」、かつ、Blk Counter[0]が「H」となるとき、そのレベルは「H」となり、それ以外のとき、そのレベルは「L」となる。すなわち、図１３で示されるPIXEL_SELが「H」となるとき、図１２で示される復号パターンではその画素は復号され、図１３で示されるPIXEL_SELが「L」となるとき、図１２で示される復号パターンではその画素は復号されずに暗号化されたままとなる。
【０１３６】
より具体的には、図１３で示される例において、Pixel Counterを最初に省略するまでの区間である第１の区間において、Pixel Counter値が10の区間と11の区間では、Pixel Counter[1]が「H」となっているが、Blk Counter値が0の区間では、Blk Counter[0]が「L」となっているので、PIXEL_SELは「L」となる。
【０１３７】
第１の区間から次にPixel Counterを省略するまでの区間である第２の区間において、Pixel Counter値が8の区間と9の区間では、Pixel Counter[1]が「L」となり、Blk Counter値が1の区間では、Blk Counter[0]が「H」となっているので、PIXEL_SELは「L」となる。また、第２の区間において、Pixel Counter値が10の区間と11の区間では、Pixel Counter[1]が「H」となり、Blk Counter値が1の区間では、Blk Counter[0]が「H」となっているので、PIXEL_SELは「H」となる。
【０１３８】
第２の区間から次にPixel Counterを省略するまでの区間である第３の区間において、Pixel Counter値が8の区間と9の区間では、Pixel Counter[1]が「L」となり、Blk Counter値が2の区間では、Blk Counter[0]が「L」となっているので、PIXEL_SELは「L」となる。また、第３の区間において、Pixel Counter値が10の区間と11の区間では、Pixel Counter[1]が「H」となり、Blk Counter値が2の区間では、Blk Counter[0]が「L」となっているので、PIXEL_SELは「L」となる。
【０１３９】
また、第１の区間乃至第３の区間と同様に、第３の区間から次にPixel Counterを省略するまでの区間である第４の区間、第４の区間から次にPixel Counterを省略するまでの区間である第５の区間、第５の区間から次にPixel Counterを省略するまでの区間である第６の区間、第６の区間から次にPixel Counterを省略するまでの区間である第７の区間、第７の区間以降の第８の区間のそれぞれにおいても、PIXEL_SELは、Pixel Counter[1]とBlk Counter[0]のレベルによって、「H」か「L」のいずれかのレベルとなる。
【０１４０】
このように、判定部１５４は、Pixel Counter[1]が「H」、かつ、Blk Counter[0]が「H」となるとき、PIXEL_SELのレベルを「H」とすることで、PIXEL_SELのレベルとして、「H」か「L」のいずれかを生成する。これにより、例えば、図１２の復号パターンの水平方向においては、暗号化画像と混在画像とが120ピクセルごとに繰り返され、さらに、その混在画像の水平方向においては、暗号化された画素と復号されて元の状態に戻された画素とが2ピクセルごとに繰り返される。
【０１４１】
また、このPIXEL_SELのレベルに基づいて、判定部１５４はDECRYTION_ONを選択部１５３に出力することになるが、次に、図１４を参照して、その判定部１５４の詳細な構成について説明する。
【０１４２】
判定部１５４は、論理回路１６１を含むようにして構成される。判定部１５４の論理回路１６１には、PIXEL_SEL，LINE_NO[3]，VDが入力される。論理回路１６１は、入力されるPIXEL_SEL，LINE_NO[3]，VDに基づいて、論理演算を行って、その論理演算の結果に応じて、DECRYTION_ONを選択部１５３に出力する。
【０１４３】
ここで、論理回路１６１に入力される信号であるが、PIXEL_SELは、図１３のPIXEL_SELに相当し、上述したように、そのレベルは「H」または「L」、すなわち、「1」または「0」となる。したがって、ある画素に対するPIXEL_SELにおいては、「1」となるとき、その画素は復号されることを示し、「0」となるとき、その画素は復号されずに暗号化されたままであることを示す。
【０１４４】
また、LINE_NO[3]は、水平方向の復号の有無を示しているPIXEL_SELに対する、垂直方向の復号の有無を示し、そのレベルは、「1」または「0」となる。したがって、ある画素に対するLINE_NO[3]においては、「1」となるとき、その画素は復号される画素であることを示し、「0」となるとき、その画素は復号されずに暗号化されたままの画素であることを示す。
【０１４５】
例えば、図１５は、図１２の拡大復号パターンの詳細を示しているが、拡大復号パターンの左側に付された、0から40までの数字は、図６のLine Numberに相当する。拡大復号パターンは、図１５の例では、8乃至15，24乃至31，・・・の8ラインごとに復号されているので、それに対応してLINE_NO[3]は、8乃至15，24乃至31，・・・となるとき、「1」となる。逆に、拡大復号パターンは、図１５の例では、0乃至7，16乃至23，32乃至39，・・・の8ラインごとに復号されずに暗号化されたままとなっているので、それに対応してLINE_NO[3]は、0乃至7，16乃至23，32乃至39，・・・となるとき、「0」となる。
【０１４６】
VD（一般的には、Ｖと称されることもあるが、ここではVDと称する）は、フレームの区切りを示す垂直同期信号であり、上述した、図６の垂直同期信号Ｖに相当する。すなわち、論理回路１６１に入力されるVDのレベルが「L」、すなわち、「0」となるとき、その期間は、垂直ブランキング（V-Blanking）期間を示している。一方、VDのレベルが「H」、すなわち、「1」となるとき、その期間は、画面に表示される画像に対応する映像信号が入力されることになる。
【０１４７】
そして、論理回路１６１は、これらのPIXEL_SEL，LINE_NO[3]，VDがそれぞれ、PIXEL_SEL==1、かつ、LINE[3]==1、かつ、VD==0となるとき、DECRYTION_ONを選択部１５３に出力する。なお、論理回路１６１への入力のうち、VDの入力だけは「○」で表現されているので、その入力は論理否定演算を示している。
【０１４８】
すなわち、判定部１５４においては、論理回路１６１は、0乃至7の8ラインではDECRYTION_ONを出力せず、8乃至15の8ラインでは2ピクセルおきにDECRYTION_ONを選択部１５３に出力し、16乃至23の8ラインではDECRYTION_ONを出力せず、24乃至31の8ラインでは2ピクセルおきにDECRYTION_ONを選択部１５３に出力し、32乃至39の8ラインではDECRYTION_ONを出力しないことになる。
【０１４９】
そして、選択部１５３は、判定部１５４からのDECRYTION_ONに基づいて、DECRYTION_ONが入力されたとき、復号部１５１からの復号されて元の状態に戻された映像信号における画像を構成する画素を選択し、DECRYTION_ONが入力されなかったとき、ディレイ調整部１５２からの暗号化映像信号における画像を構成する画素を選択し、それらの選択した部分復号映像信号における画像を構成する画素を送信部１３７に供給する。送信部１３７は、選択部１５３からの部分復号映像信号を、例えば、モニタ１１４に送信する。
【０１５０】
これにより、モニタ１１４は、例えば、コンテンツ記録再生装置１１２から受信した部分映像信号に対応する部分復号画像をディスプレイ１４７の画面に表示させる。
【０１５１】
なお、復号パターンは、上述した、図９乃至図１２の復号パターンの他にも、例えば、縦8（ピクセル）×横8（ピクセル）単位で復号するブロックと、復号しないブロックとをフレーム単位でランダムに発生させる復号パターンなど、種々の復号パターンを採用することができる。また、暗号化の方式として、SMPTE 427Mを採用した場合、図９乃至図１２の復号パターンのような、水平方向と垂直方向のそれぞれに対して単純な復号パターンとしたほうが比較的小さな回路規模で実現することができる。
【０１５２】
以上のように、本実施の形態の構成を用いることによって、コンテンツの内容を部分的に確認することが可能となるので、ユーザは、例えば、編集ポイントの設定、プリロールによる編集ポイントの確認、編集後の結果の確認などを行うことができる。
【０１５３】
また、例えばモニタ１１４へ出力された部分復号映像信号は、部分的な復号だけしかなされていないので、コンテンツの内容を確認できるレベルの画像でしかなく、その部分復号映像信号をそのままコピーしたとしても、価値のあるコンテンツを得ることはできない。また、暗号化映像信号における画像を構成する画素に対して適当な部分復号処理を施すことで、その部分復号映像信号をフレーム間相関やライン相関などを用いて加工し、そこから価値のあるコンテンツを得ようとしても、価値のあるコンテンツの取得を防止することが可能となる。
【０１５４】
さらにまた、部分復号映像信号のうち、部分復号の行われていない部分に関しては暗号化された画像がそのまま表示されるので、部分復号画像が暗号化によって保護されていることも同時に確認することができる。
【０１５５】
すなわち、本実施の形態の構成を用いることで、コンテンツ保護の機能を損なうことなく、暗号化されたコンテンツの内容の確認と、コンテンツが暗号化されていることの確認が可能となり、例えば、モニタリングなどの、従来どおりのワークフローを踏襲することができる。
【０１５６】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１５７】
図１６は、上述した一連の処理をプログラムにより実行するパーソナルコンピュータの構成の例を示すブロック図である。CPU（Central Processing Unit）２１１は、ROM（Read Only Memory）２１２、または記録部２１８に記録されているプログラムに従って各種の処理を実行する。RAM（Random Access Memory）２１３には、CPU２１１が実行するプログラムやデータなどが適宜記憶される。これらのCPU２１１、ROM２１２、およびRAM２１３は、バス２１４により相互に接続されている。
【０１５８】
CPU２１１にはまた、バス２１４を介して入出力インターフェース２１５が接続されている。入出力インターフェース２１５には、マイクロホンなどよりなる入力部２１６、ディスプレイ、スピーカなどよりなる出力部２１７が接続されている。CPU２１１は、入力部２１６から入力される指令に対応して各種の処理を実行する。そして、CPU２１１は、処理の結果を出力部２１７に出力する。
【０１５９】
入出力インターフェース２１５に接続されている記録部２１８は、例えばハードディスクからなり、CPU２１１が実行するプログラムや各種のデータを記録する。通信部２１９は、インターネットやローカルエリアネットワークなどのネットワークを介して外部の装置と通信する。
【０１６０】
また、通信部２１９を介してプログラムを取得し、記録部２１８に記録してもよい。
【０１６１】
入出力インターフェース２１５に接続されているドライブ２２０は、磁気ディスク、光ディスク、光磁気ディスク、或いは半導体メモリなどのリムーバブルメディア２２１が装着されたとき、それらを駆動し、そこに記録されているプログラムやデータなどを取得する。取得されたプログラムやデータは、必要に応じて記録部２１８に転送され、記録される。
【０１６２】
コンピュータにインストールされ、コンピュータによって実行可能な状態とされるプログラムを格納するプログラム記録媒体は、図１６に示すように、磁気ディスク（フレキシブルディスクを含む）、光ディスク（CD-ROM(Compact Disc-Read Only Memory),DVD(Digital Versatile Disk)を含む）、光磁気ディスク、もしくは半導体メモリなどよりなるパッケージメディアであるリムーバブルメディア２２１、または、プログラムが一時的もしくは永続的に格納されるROM２１２や、記録部２１８を構成するハードディスクなどにより構成される。プログラム記録媒体へのプログラムの格納は、必要に応じてルータ、モデムなどのインターフェースである通信部２１９を介して、ローカルエリアネットワーク、インターネット、デジタル衛星放送といった、有線または無線の通信媒体を利用して行われる。
【０１６３】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６４】
また、本明細書において、システムとは、複数の装置により構成される装置全体を表すものである。
【０１６５】
さらに、本発明の実施の形態は、上述した実施の形態に限定されるものではなく、本発明の要旨を逸脱しない範囲において種々の変更が可能である。
【図面の簡単な説明】
【０１６６】
【図１】従来のコンテンツ編集システムの構成を示すブロック図である。
【図２】従来のコンテンツ編集システムの他の構成を示すブロック図である。
【図３】従来のコンテンツ編集システムのさらに他の構成を示すブロック図である。
【図４】本発明を適用したコンテンツ編集システムの一実施の形態の構成を示すブロック図である。
【図５】コンテンツ記録再生装置の構成を示すブロック図である。
【図６】部分復号部の詳細な構成を示すブロック図である。
【図７】図５のコンテンツ記録再生装置による、コンテンツ記録再生の処理について説明するフローチャートである。
【図８】図６の部分復号部による部分復号処理の詳細について説明するフローチャートである。
【図９】復号パターンの例を示す図である。
【図１０】復号パターンの例を示す図である。
【図１１】復号パターンの例を示す図である。
【図１２】復号パターンの例を示す図である。
【図１３】図１２の復号パターンを採用したときの、図６の判定部の動作の例を説明するタイミングチャートである。
【図１４】図６の判定部の詳細な構成を示すブロック図である。
【図１５】図１２の拡大復号パターンの例の詳細を説明するブロック図である。
【図１６】本発明が適用されるプログラムを実行するパーソナルコンピュータの構成例を示すブロック図である。
【符号の説明】
【０１６７】
１０１  コンテンツ編集システム，  １１１  コンテンツ再生装置，  １１２  コンテンツ記録再生装置，  １１３  モニタ，  １１４  モニタ，  １２１  コンテンツ再生部，  １２２  暗号化部，  １２３  送信部，  １２４  部分復号部，  １２５  送信部，  １３１  受信部，  １３２  復号部，  １３３  コンテンツ記録再生部，  １３４  暗号化部，  １３５  送信部，  １３６  部分復号部，  １３７  受信部，  １４１  受信部，  １４２  ディスプレイ，  １４６  受信部，  １４７  ディスプレイ，  １５１  復号部，  １５２  ディレイ調整部，  １５３  選択部，  １５４  判定部，  １６１  論理回路
【図１】
2007329835.tif 000003
【図２】
2007329835.tif 000004
【図３】
2007329835.tif 000005
【図４】
2007329835.tif 000006
【図５】
2007329835.tif 000007
【図６】
2007329835.tif 000008
【図７】
2007329835.tif 000009
【図８】
2007329835.tif 000010
【図９】
2007329835.tif 000011
【図１０】
2007329835.tif 000012
【図１１】
2007329835.tif 000013
【図１２】
2007329835.tif 000014
【図１３】
2007329835.tif 000015
【図１４】
2007329835.tif 000016
【図１５】
2007329835.tif 000017
【図１６】
2007329835.tif 000018